(57)【要約】【課題】コスト及び開発期間を抑え、かつ、高コントラストで視認性を向上できる情報表示装置を提供する。【解決手段】この情報表示装置は、背面側から入射する光の透過量を制御して、情報表示領域と、前記情報表示領域以外の黒画像からなる背景領域とを含む画像を、前面側の表示面に形成する光学装置と、前記光学装置の前面側または背面側に配置される光学部材と、を備え、前記光学部材の少なくとも一つは、前記背景領域に対応する光を遮断する遮光部を有する構成を採る。【選択図】図４
2018119998.tif 000002
【特許請求の範囲】
【請求項１】
背面側から入射する光の透過量を制御して、情報表示領域と、前記情報表示領域以外の黒画像からなる背景領域とを含む画像を、前面側の表示面に形成する光学装置と、
前記光学装置の前面側または背面側に配置される光学部材と、を備え、
前記光学部材の少なくとも一つは、前記背景領域に対応する光を遮断する遮光部を有する、
情報表示装置。
【請求項２】
前記光学装置は、液晶パネルである、
請求項１に記載の情報表示装置。
【請求項３】
前記情報表示装置は、エッジライト式バックライトを有する透過型液晶ディスプレイ、直下型方式バックライトを有する透過型液晶ディスプレイ、反射型液晶ディスプレイ、投影型表示デバイス、及び、ヘッドアップディスプレイのいずれかである、
請求項１に記載の情報表示装置。
【請求項４】
前記遮光部は、表示面より背面に近い位置に設けられる
請求項１に記載の情報表示装置。
【請求項５】
前記遮光部は、背面より表示面に近い位置に設けられる、
請求項１に記載の情報表示装置。
【請求項６】
前記遮光部を有する前記光学部材には、前記光を遮る遮光領域と、前記光を透光させる透光領域との間に、光の透過率が前記遮光領域と前記透光領域の中間である遷移領域が設けられる、
請求項１に記載の情報表示装置。
【請求項７】
前記遷移領域は、前記透光領域から前記遮光領域に向かうにつれて、前記光の透過率が低くなる、
請求項６に記載の情報表示装置。
【発明の詳細な説明】
【技術分野】
【０００１】
本発明は、黒背景に各種情報を表示する情報表示装置に関し、特に、車両に搭載される情報表示装置に関する。
【背景技術】
【０００２】
近年、車両の安全性向上のため、車両周囲の画像、地図情報、速度情報等、様々な情報を一元的に集約して表示する車載表示装置が普及しつつある。このため、ディスプレイが大型化し、車両のダッシュボード内におけるディスプレイの占める割合が増加してきている。これは、車両の内装に与えるディスプレイの影響が拡大していることも意味する。
【０００３】
このような車載表示装置は、高コントラストで視認性が高いことが要求される。しかしながら、光学装置として液晶パネルを備える車載表示装置の場合、黒表示であっても、通常、液晶パネルからの光漏れがあるため、ある程度光ってしまい、黒輝度が高くなる。そのため、黒背景にスピードメータ等の各種情報を表示する場合に、コントラストが低下し、視認性が悪くなる。また、車載表示装置の表示面がダッシュボード内に配置される場合、車両の内装、特に黒を基調としたインパネ周りにおいて、黒表示が浮いたように見えてしまう。つまり、車載表示装置の黒背景とインパネ周りの黒が同化しない。
【０００４】
一方で、表示面内における黒輝度を抑制する技術が、例えば、特許文献１に開示されている。特許文献１には、液晶表示装置に用いられる直下型のバックライト装置において、複数のＬＥＤ光源が所定ピッチ毎に配設され、表示する画像に応じて、エリア毎またはＬＥＤ光源毎の発光輝度を制御するローカルディミング制御を行うことが開示されている。
【先行技術文献】
【特許文献】
【０００５】
【特許文献１】特開２０１３−１４３２３９号公報
【発明の概要】
【発明が解決しようとする課題】
【０００６】
しかしながら、上述した特許文献１に開示の液晶表示装置は、エッジライト方式や直下型方式のように面光源をバックライトとする場合に比較して、コスト及び開発期間が増大するという課題がある。
【０００７】
本発明の目的は、コスト及び開発期間を抑え、かつ、高コントラストで視認性を向上できる情報表示装置を提供することである。
【課題を解決するための手段】
【０００８】
本発明の一態様に係る情報表示装置は、背面側から入射する光の透過量を制御して、情報表示領域と、前記情報表示領域以外の黒画像からなる背景領域とを含む画像を、前面側の表示面に形成する光学装置と、前記光学装置の前面側または背面側に配置される光学部材と、を備え、前記光学部材の少なくとも一つは、前記背景領域に対応する光を遮断する遮光部を有する構成を採る。
【発明の効果】
【０００９】
本発明によれば、コスト及び開発期間を抑え、かつ、高コントラストで視認性を向上できる。
【図面の簡単な説明】
【００１０】
【図１】本発明の実施の形態１に係る液晶ディスプレイの表示例を示す図
【図２】液晶ディスプレイの表示面における領域を示す図
【図３】本発明の実施の形態１に係る液晶ディスプレイの構成を模式的に示す分解斜視図
【図４】遮光部の説明に供する図
【図５】光の透過率の低い領域をドットパターンで形成する様子を示す模式図
【図６】光の透過率の低い領域を濃淡パターンで形成する様子を示す模式図
【図７】本発明の実施の形態２に係る液晶ディスプレイの構成を模式的に示す分解斜視図
【図８】本発明の実施の形態３に係る液晶ディスプレイの構成を模式的に示す分解斜視図
【図９】本発明の実施の形態４に係る投影型表示デバイスの構成を示す模式図
【図１０】本発明の実施の形態５に係るヘッドアップディスプレイの構成を示す模式図
【発明を実施するための形態】
【００１１】
以下、本発明の実施の形態について、図面を参照して詳細に説明する。ただし、実施の形態において、同一の機能を有する構成には、同一の符号を付し、重複する説明は省略する。
【００１２】
（実施の形態１）
図１は、本発明の実施の形態１に係る液晶ディスプレイ１０の表示例を示す図である。図１に示す液晶ディスプレイ１０は、例えば、車両に搭載される車載表示装置であり、エンジンの回転数を示すタコメータ１１、車両のスピードを示すスピードメータ１２、残りの燃料を示す燃料計１３、エンジンの冷却水の水温を示す水温計１４、及び、シフトレンジ１５を表示している。
【００１３】
このような表示に特化した液晶ディスプレイ１０の表示面は、図２に示すような領域に分けられる。図２において、白抜き部分Ｗ１〜Ｗ５は図１に示した各種情報を表示する情報表示領域であり、黒い部分Ｂ１は背景領域である（以下「情報表示領域Ｗ」「背景領域Ｂ」と称する）。すなわち、液晶ディスプレイ１０によって表示される画像は、情報表示領域Ｗと、情報表示領域Ｗ以外の黒画像からなる背景領域とを含む。なお、液晶ディスプレイ１０によって表示される情報の種類及び情報表示領域の形状は、上述したものに限定されない。なお、図１及び図２は、後述する実施の形態２〜５にも適用されるものである。
【００１４】
図３は、本発明の実施の形態１に係る液晶ディスプレイ１０の構成を模式的に示す分解斜視図である。液晶ディスプレイ１０は、エッジライト式バックライトを有する透過型液晶ディスプレイである。図３において、紙面左側を液晶ディスプレイ１０の表示面側、すなわち、前面側とし、紙面右側を液晶ディスプレイ１０の背面側とする。
【００１５】
図３に示すように、液晶ディスプレイ１０は、導光板２１、光源２２、最背面配置光学シート２３、背面側配置光学シート２４、中配置光学シート２５、前面側配置光学シート２６、背面側偏光板２７、液晶パネル２８、前面側偏光板２９、及び遮光シート３０等を備える。液晶パネル２８が本発明の光学装置を構成する。導光板２１、最背面配置光学シート２３、背面側配置光学シート２４、中配置光学シート２５、前面側配置光学シート２６、背面側偏光板２７、前面側偏光板２９、及び遮光シート３０が本発明の光学部材を構成する。
【００１６】
導光板２１は、例えば、ポリカーボネート板であり、すべての面が平滑な平面を有する略直方体からなり、導光板内に入射した光を均一に伝達する。
【００１７】
光源２２は、導光板２１の端面に配置される、例えば、白色の複数のＬＥＤであり、液晶ディスプレイ１０の電源がＯＮの間、点灯する。
【００１８】
最背面配置光学シート２３は、導光板２１の背面に重畳して配置される反射シートであり、導光板２１の背面から照射される光を前面に向けて反射する。
【００１９】
背面側配置光学シート２４は、導光板２１の前面に重畳して配置される拡散シートであり、導光板２１の前面から照射された光を拡散する。
【００２０】
中配置光学シート２５は、背面側配置光学シート２４の前面に重畳して配置されるプリズムシートであり、背面側配置光学シート２４を透過した光の明るさを均一にする。
【００２１】
前面側配置光学シート２６は、中配置光学シート２５の前面に重畳して配置される拡散シートであり、中配置光学シート２５を透過した光を拡散する。
【００２２】
背面側偏光板２７は、前面側配置光学シート２６の前面に重畳して配置される偏光板であり、前面側配置光学シート２６を透過した光の一方向の成分（例えば、水平方向成分）のみを透過させる。
【００２３】
液晶パネル２８（光学装置に相当）は、２つの配向膜によって液晶を挟み、液晶パネルにかける電圧をＯＮ／ＯＦＦして、液晶の配列パターンを変えることにより、背面側偏光板２７を透過した光を、その振動方向を変えて透過させるか、その振動方向を変えずに透過させる。
【００２４】
前面側偏光板２９は、背面側偏光板２７の透過軸の向きとは９０°異なる透過軸の向きとなるように配置され、液晶パネル２８を透過した光の一方向の成分（例えば、垂直成分）のみを透過させる。
【００２５】
遮光シート３０は、前面側偏光板２９の前面に重畳して配置され、背景領域Ｂ（図２参照）に対応する光を遮断する。遮光シート３０は、ＯＨＰシート及びＰＥＴシートなどの樹脂シートに、背景領域Ｂと同形状の遮光マスクを形成したものである。遮光マスクは、背景領域Ｂに相当する部分に黒インクを印刷するなどして形成される。
【００２６】
このようなことから、遮光シート３０は、情報表示領域Ｗの形状に関わらず、簡単に適用することができる。つまり、車種ごとに表示する画像のデザインが異なる場合であっても、遮光シート３０を適宜変更するだけで、同一構造の液晶ディスプレイを用いることができる。なお、遮光シート３０は、黒色シートから液晶ディスプレイの情報表示領域に相当する部分を切り抜いた残りの部分としてもよい。
【００２７】
なお、ここでは、遮光シート３０は、前面側偏光板２９の前面に重畳して配置されるとしたが、遮光シート３０は、最背面配置光学シート２３、導光板２１、背面側配置光学シート２４、中配置光学シート２５、前面側配置光学シート２６、背面側偏光板２７、液晶パネル２８のいずれかの前面に重畳して配置されてもよい。
【００２８】
遮光シート３０は、導光板２１より前面側に配置されることにより、液晶ディスプレイ１０の情報表示領域と背景領域との境界がぼける度合いが高くなる。逆に、遮光シート３０は、導光板２１より背面側に配置されることにより、液晶ディスプレイ１０の情報表示領域と背景領域との境界がクリアになる。
【００２９】
また、遮光シート３０は、背面（光源）に近い位置に設けられるほど、前面側に光学部材が積層されるため、液晶ディスプレイ１０の情報表示領域と背景領域との境界がぼける度合いが高くなる。一方、遮光シート３０は、前面に近い位置（光源から遠い位置）に設けられるほど、遮光効果が高くなり、液晶ディスプレイ１０の情報表示領域と背景領域との境界がクリアになる。
【００３０】
遮光シート３０には、好ましくは、図４に示したように、遮光領域（黒塗り部分）と透光領域（白抜き部分）との間に、光の透過率が遮光領域と透光領域の中間である遷移領域が設けられる。取付誤差などによって、液晶ディスプレイ１０の情報表示領域と、遮光シート３０の透光領域とが完全に一致していない場合でも、この不一致は遷移領域によって吸収されるので、自然な表示となる。
【００３１】
なお、遮光領域と透光領域との間に設けられた遷移領域は、図５に示すように、透光領域から遮光領域に向かうにつれて、ドットピッチが小さくなるように、またはドット径が大きくなるようにドットパターンが形成されたものでもよい。また、この遷移領域は、図６に示すように、透光領域から遮光領域に向かうにつれて、遮光濃度が段階的に高くなる（２値も含む）ように濃淡パターンが形成されたものでもよい。
【００３２】
このように、実施の形態１の液晶ディスプレイ１０は、背面側から入射する光の透過量を制御して、情報表示領域Ｗと情報表示領域Ｗ以外の黒画像からなる背景領域Ｂとを含む画像を、前面側の表示面に形成する液晶パネル２８（光学装置）と、導光板２１、最背面配置光学シート２３、背面側配置光学シート２４、中配置光学シート２５、前面側配置光学シート２６、背面側偏光板２７、前面側偏光板２９、及び遮光シート３０（液晶パネル２８の前面側又は背面側に配置される光学部材）と、を備える。遮光シート３０（光学部材の少なくとも一つ）は、背景領域Ｂに対応する光を遮断する遮光部を有する。
【００３３】
実施の形態１によれば、液晶ディスプレイ１０の背景領域Ｂに合わせた形状の遮光部を有する遮光シート３０を設けることにより、遮光シート３０がバックライトの光を遮るため、液晶ディスプレイ１０の情報表示領域の輝度を低下させることなく、液晶ディスプレイ１０の背景領域の黒輝度を低下させることができる。よって、高コントラストの画像が表示可能となるので、視認性が格段に高まる。
【００３４】
また、液晶ディスプレイ１０の背景領域である黒表示とインパネ周りの黒色とを同化させることができる。また、光学部材に黒インクを印刷して遮光部を形成するという簡易な処理により実現され、既存の液晶ディスプレイの構造をそのまま利用することもできるので、コスト及び開発期間を抑えることができる。
【００３５】
なお、本実施の形態では、液晶ディスプレイ３０が本来備える光学部材とは別に、遮光シート３０を設ける場合について説明したが、本発明はこれに限らず、最背面配置光学シート２３、導光板２１、背面側配置光学シート２４、中配置光学シート２５、前面側配置光学シート２６、背面側偏光板２７の光学部材のいずれか単体または複数の組合せの光学部材に遮光部が設けられてもよい。ただし、導光板２１に遮光部が設けられる場合、遮光部は、導光板２１の前面または背面に設けられる。また、背面側偏光板２７に遮光部が設けられる場合、遮光部は、背面側偏光板２７の前面、背面、または偏光板層内に設けられる。
【００３６】
（実施の形態２）
図７は、本発明の実施の形態２に係る液晶ディスプレイ４０の構成を示す分解斜視図である。液晶ディスプレイ４０は、直下型方式バックライトを有する透過型液晶ディスプレイである。図７において、紙面左側を液晶ディスプレイ４０の表示面、すなわち、前面側とし、紙面右側を液晶ディスプレイ４０の背面側とする。図７が図１と異なる点は、拡散板４２を追加した点と、導光板２１を削除した点と、光源２２を光源４１に変更した点である。
【００３７】
図７に示すように、液晶ディスプレイ４０は、光源４１、最背面配置光学シート２３、拡散板４２、背面側配置光学シート２４、中配置光学シート２５、前面側配置光学シート２６、背面側偏光板２７、液晶パネル２８、前面側偏光板２９、及び遮光シート３０等を備える。液晶パネル２８が本発明の光学装置を構成する。拡散板４２、最背面配置光学シート２３、背面側配置光学シート２４、中配置光学シート２５、前面側配置光学シート２６、背面側偏光板２７、前面側偏光板２９、及び遮光シート３０が本発明の光学部材を構成する。
【００３８】
光源４１は、最背面配置光学シート２３の表面に配置される、例えば、白色の複数のＬＥＤであり、液晶ディスプレイ４０の電源がＯＮの間、点灯する。
【００３９】
拡散板４２は、最背面配置光学シート２３の前面に重畳して配置され、光源４１から発した光、及び、最背面配置光学シート２３によって反射された光を拡散する。
【００４０】
なお、遮光シート３０は、前面側偏光板２９の前面に重畳して配置されることに限らず、最背面配置光学シート２３、拡散板４２、背面側配置光学シート２４、中配置光学シート２５、前面側配置光学シート２６、背面側偏光板２７、液晶パネル２８のいずれかの前面に重畳して配置されてもよい。
【００４１】
このように、実施の形態２によれば、直下型方式バックライトを有する透過型液晶ディスプレイにおいても、実施の形態１と同様、液晶ディスプレイの背景領域Ｂに合わせた形状の遮光部を有する遮光シート３０を設けることにより、遮光シート３０がバックライトの光を遮るため、液晶ディスプレイ４０の情報表示領域の輝度を低下させることなく、液晶ディスプレイ４０の背景領域の黒輝度を低下させることができる。よって、高コントラストの画像が表示可能となるので、視認性が格段に高まる。
【００４２】
また、液晶ディスプレイの背景領域である黒表示とインパネ周りの黒色とを同化させることができる。また、光学部材に黒インクを印刷して遮光部を形成するという簡易な処理により実現され、既存の液晶ディスプレイの構造をそのまま利用することもできるので、コスト及び開発期間を抑えることができる。
【００４３】
なお、本実施の形態では、液晶ディスプレイ３０が本来備える光学部材とは別に、遮光シート３０を設ける場合について説明したが、本発明はこれに限らず、最背面配置光学シート２３、拡散板４２、背面側配置光学シート２４、中配置光学シート２５、前面側配置光学シート２６、背面側偏光板２７の光学部材のいずれか単体または複数の組合せの光学部材に遮光部が設けられてもよい。ただし、拡散板４２に遮光部が設けられる場合、遮光部は、拡散板４２の前面または背面に設けられる。
【００４４】
（実施の形態３）
図８は、本発明の実施の形態３に係る液晶ディスプレイ５０の構成を示す分解斜視図である。液晶ディスプレイ５０は、反射型液晶ディスプレイである。図８において、紙面左側を液晶ディスプレイ５０の表示面、すなわち、前面側とし、紙面右側を液晶ディスプレイ５０の背面側とする。
【００４５】
図８に示すように、液晶ディスプレイ５０は、偏光板５１、液晶パネル５２、遮光シート５３、及び反射用光学部材５４等を備える。液晶パネル５２が本発明の光学装置を構成する。偏光板５１、遮光シート５３、及び反射用光学部材５４が本発明の光学部材を構成する。
【００４６】
偏光板５１は、太陽光などの外光の一方向の成分（例えば、水平方向成分）のみを透過させる。
【００４７】
液晶パネル５２（光学装置に相当）は、２つの配向膜によって液晶を挟み、液晶パネルにかける電圧をＯＮ／ＯＦＦして、液晶の配列パターンを変えることにより、偏光板５１を透過した光を、その振動方向を変えて透過させるか、その振動方向を変えずに透過させる。
【００４８】
遮光シート５３は、液晶パネル５２の背面に重畳して配置され、背景領域Ｂ（図２参照）に対応する光を遮断する。遮光シート５３は、ＯＨＰシート及びＰＥＴシートなどの樹脂シートに、背景領域Ｂと同形状の遮光マスクを形成したものである。遮光マスクは、背景領域Ｂに相当する部分に黒インクを印刷するなどして形成される。
【００４９】
なお、遮光シート５３は、液晶パネル５２の背面に重畳して配置されることに限らず、偏光板５１、液晶パネル５２、反射用光学部材５４のいずれかの前面に重畳して配置されてもよい。
【００５０】
反射用光学部材５４は、遮光シート５３を透過した光を反射する。
【００５１】
液晶ディスプレイ５０は、液晶ディスプレイ５０を構成する光学部材のうち、偏光板５１、反射用光学部材５４のいずれか単体または複数の組合せに遮光部が設けられる。なお、偏光板５１に遮光部が設けられる場合、遮光部は、偏光板５１の前面、背面、または偏光板層内に設けられる。
【００５２】
このように、実施の形態３によれば、反射型液晶ディスプレイにおいても、実施の形態１と同様、液晶ディスプレイ５０の背景領域Ｂに合わせた形状の遮光部を有する遮光シート５３を設けることにより、遮光シート５３が光を遮るため、液晶ディスプレイ５０の情報表示領域の輝度を低下させることなく、液晶ディスプレイ５０の背景領域の黒輝度を低下させることができる。よって、高コントラストの画像が表示可能となるので、視認性が格段に高まる。
【００５３】
また、液晶ディスプレイ５０の背景領域である黒表示とインパネ周りの黒色とを同化させることができる。また、光学部材に黒インクを印刷して遮光部を形成するという簡易な処理により実現され、既存の液晶ディスプレイの構造をそのまま利用することもできるので、コスト及び開発期間を抑えることができる。
【００５４】
なお、本実施の形態に係る反射型液晶ディスプレイは、モノクロ表示する場合を例に説明したが、カラー表示してもよく、この場合、偏光板と液晶パネルとの間にカラーフィルターを挿入する。そして、本発明は、カラーフィルターに遮光部を設けてもよい。
【００５５】
なお、本実施の形態では、液晶ディスプレイ５０が本来備える光学部材とは別に、遮光シート５３を設ける場合について説明したが、本発明はこれに限らず、偏光板５１、反射用光学部材５４の光学部材のいずれか単体または複数の組合せの光学部材に遮光部が設けられてもよい。
【００５６】
（実施の形態４）
図９は、本発明の実施の形態４に係る投影型表示デバイス６０の構成を示す模式図である。投影型表示デバイス６０は、３ＬＣＤ型のプロジェクタである。図９において、紙面左側を投影型表示デバイス６０の照射側、すなわち、前面側とし、紙面右側を投影型表示デバイス６０の背面側とする。
【００５７】
図９に示すように、投影型表示デバイス６０は、光源６１、液晶光学部６２、遮光シート６３、及び投射レンズ６４等を備える。液晶光学部６２が本発明の光学装置を構成する。光源６１、遮光シート６３、及び投射レンズ６４が本発明の光学部材を構成する。
【００５８】
光源６１は、例えば、ＨＩＤ（High Intensity Discharge）ランプなどの高圧放電ランプである。
【００５９】
液晶光学部６２（光学装置に相当）は、３ＬＣＤ型の構成が採用されていることに応じて、光源６１からの光を光源光学系で集光した後に色分離する。
【００６０】
遮光シート６３は、液晶光学部６２の直後に配置され、背景領域Ｂ（図２参照）に対応する光を遮断する。遮光シート６３は、ＯＨＰシート及びＰＥＴシートなどの樹脂シートに、背景領域Ｂと同形状の遮光マスクを形成したものである。遮光マスクは、背景領域Ｂに相当する部分に黒インクを印刷するなどして形成される。
【００６１】
液晶光学部６２から出射された光は、遮光シート６３によって一部の光が遮られ、投射レンズ６４によってスクリーンに投射され、これによってスクリーン上には画像が拡大投影される。
【００６２】
このように、実施の形態４によれば、投影型表示デバイス６０においても、実施の形態１と同様、投影型表示デバイス６０の背景領域Ｂに合わせた形状の遮光部を有する遮光シート６３を設けることにより、遮光シート６３が光を遮るため、スクリーンの情報表示領域の輝度を低下させることなく、スクリーンの背景領域の黒輝度を低下させることができる。よって、よって、高コントラストの画像が表示可能となるので、視認性が格段に高まる。
【００６３】
また、スクリーンの背景領域である黒表示とインパネ周りの黒色とを同化させることができる。また、光学部材に黒インクを印刷して遮光部を形成するという簡易な処理により実現され、既存の投影型表示デバイスの構造をそのまま利用することもできるので、コスト及び開発期間を抑えることができる。
【００６４】
（実施の形態５）
図１０は、本発明の実施の形態５に係るヘッドアップディスプレイ７０の構成を示す模式図である。
【００６５】
図１０に示すように、ヘッドアップディスプレイ７０は、表示部７１、遮光シート７２、レンズ７３、ミラー７４、及びコンバイナ７５を備える。表示部７１が本発明の光学装置を構成する。遮光シート７２、レンズ７３、ミラー７４、及びコンバイナ７５が本発明の光学部材を構成する。
【００６６】
表示部７１（光学装置に相当）は、例えば、透過型の液晶表示パネルにより構成され、ヘッドアップディスプレイ７０が表示すべき可視情報を表示することができる。表示部７１が表示した可視情報は、その近傍に配置されたバックライトにより照明され、光の像として投射される。すなわち、表示部７１から出射された光の像は、遮光シート７２、投射レンズ７３及びミラー７４を介してコンバイナ７５に投影され、コンバイナ７５の面で反射して運転者の観察位置である所定のアイポイントＥＰ１に向かう。
【００６７】
コンバイナ７５の面による光の反射を利用しているので、アイポイントＥＰ１の位置で見える表示像は、コンバイナ７５および車両の窓ガラスよりも前方の所定の位置に存在するかのように、虚像として表示される。
【００６８】
コンバイナ７５は、コンバイナ本体及びフィルムで構成されている。コンバイナ本体は、光学的に透明な材料を用いて板状に構成されている。具体例としては、アクリル樹脂を材料として用いることができる。また、撓みや変形が生じないように、コンバイナ本体は十分な厚みを有している。
【００６９】
フィルムは、コンバイナ本体と同等の屈折率を有する透明な材料を用いて構成される。例えば、ポリカーボネートを用いてフィルムを構成することができる。フィルムの厚みは、コンバイナ本体よりも十分に薄い。フィルムは、コンバイナ本体の一方の面と重なるように配置される。
【００７０】
遮光シート７２は、表示部７１及び投射レンズ７３の間に配置され、背景領域Ｂ（図２参照）に対応する光を遮断する。遮光シート７２は、ＯＨＰシート及びＰＥＴシートなどの樹脂シートに、背景領域Ｂと同形状の遮光マスクを形成したものである。遮光マスクは、背景領域Ｂに相当する部分に黒インクを印刷するなどして形成される。
【００７１】
なお、遮光シート７２は、表示部７１及び投射レンズ７３の間に配置されることに限らず、ミラー７４の前面に重畳して配置されてもよいし、表示部７１及び投射レンズ７３の間と、ミラー７４の前面とに配置されてもよい。
【００７２】
このように、実施の形態５によれば、ヘッドアップディスプレイ７０においても、実施の形態１と同様、コンバイナ７５の背景領域Ｂに合わせた形状の遮光部を有する遮光シート７２を設けることにより、遮光シート７２が光を遮るため、コンバイナ７５の情報表示領域の輝度を低下させることなく、コンバイナ７５の背景領域の黒輝度を低下させることができる。よって、高コントラストの画像が表示可能となるので、視認性が格段に高まる。
【００７３】
また、コンバイナ７５の背景領域である黒表示とインパネ周りの黒色とを同化させることができる。また、光学部材に黒インクを印刷して遮光部を形成するという簡易な処理により実現され、既存の液晶ディスプレイの構造をそのまま利用することもできるので、コスト及び開発期間を抑えることができる。
【００７４】
なお、本実施の形態では、コンバイナに光の像を投影するものとして説明したが、本発明はこれに限らず、コンバイナに代えて車両の窓ガラスに光の像を投影するようにしてもよい。
【００７５】
なお、上記各実施の形態において、車載表示装置を例に説明したが、本発明はこれに限るものではなく、情報表示装置であればよい。
【００７６】
また、上記各実施の形態において、液晶パネルを光学装置の一例として説明したが、本発明はこれに限るものではなく、背面側から入射する光の透過量を制御することにより画像を形成する他の装置を光学装置としてもよい。例えば、ＭＥＭＳ（Micro Electro Mechanical System）シャッターを用いたディスプレイでも、シャッターをＯＦＦとした領域に対応する遮光部を設けることにより、同様の効果が期待できる。
【産業上の利用可能性】
【００７７】
本発明は、コスト及び開発期間を抑え、かつ、高コントラストで視認性を向上するのに有用である。
【符号の説明】
【００７８】
１０、４０、５０  液晶ディスプレイ
２１  導光板
２２、４１、６１  光源
２３  最背面配置光学シート
２４  背面側配置光学シート
２５  中配置光学シート
２６  前面側配置光学シート
２７  背面側偏光板
２８、５２  液晶パネル
２９  前面側偏光板
３０、５３、６３、７２  遮光シート
４２  拡散板
５１  偏光板
５４  反射用光学部材
６０  投影型表示デバイス
６２  液晶光学部
６４  投射レンズ
７０  ヘッドアップディスプレイ
７１  表示部
７３  投射レンズ
７４  ミラー
７５  コンバイナ
【図１】
2018119998.tif 000003
【図２】
2018119998.tif 000004
【図３】
2018119998.tif 000005
【図４】
2018119998.tif 000006
【図５】
2018119998.tif 000007
【図６】
2018119998.tif 000008
【図７】
2018119998.tif 000009
【図８】
2018119998.tif 000010
【図９】
2018119998.tif 000011
【図１０】
2018119998.tif 000012